(57)【特許請求の範囲】
【請求項１】
便鉢と、該便鉢の下流側に連通し、該便鉢とともに封水部を形成する便器排水路と、該便器排水路の下流側に連通し、洗浄水が滞留する滞留部とを有する便器本体と、
該便鉢に洗浄水を供給する洗浄水供給装置と、
該便器排水路から空気を吸引し、かつ該便器排水路へ空気を排出する吸排気装置と、
該洗浄水供給装置及び該吸排気装置を制御する制御装置とを備えた水洗式便器において、
前記便器排水路には、前記封水部の洗浄水と前記滞留部の洗浄水とにより閉鎖空間が形成され、
前記制御装置は、前記吸排気装置が該便器排水路から該閉鎖空間の空気を吸引する時に、前記洗浄水供給装置が前記便鉢へ洗浄水を供給しない便鉢内水面低下モードを有していることを特徴とする水洗式便器。
【請求項２】
前記滞留部は、前記便鉢内水面低下モードが実行された後も滞留する洗浄水により水封されている請求項１記載の水洗式便器。
【請求項３】
前記便鉢内水面低下モードは、前記吸排気装置が前記便器排水路から前記閉鎖空間の空気を吸引した後に該便器排水路へ空気を排出する請求項１又は２記載の水洗式便器。
【請求項４】
前記制御装置は、前記便鉢内水面低下モードの実行により該便鉢内の水面が低下した後、前記洗浄水供給装置により該便鉢に洗浄水が供給され、該便鉢内の水面が上昇位置まで上昇した後、前記吸排気装置を作動させて前記便器排水路から前記閉鎖空間の空気を吸引し、その後、該洗浄水供給装置の該便鉢への洗浄水の供給を停止し、該吸排気装置が該便器排水路へ空気を排出する便鉢内水面復帰モードを有している請求項１乃至３のいずれか１項記載の水洗式便器。
【請求項５】
前記便鉢内水面低下モードは、前記吸排気装置が前記便器排水路から前記閉鎖空間の空気を吸引する前に前記洗浄水供給装置を作動させ、前記便鉢に設定量の洗浄水を供給する請求項１乃至４のいずれか１項記載の水洗式便器。
【発明の詳細な説明】
【技術分野】
【０００１】
本発明は水洗式便器に関する。
【背景技術】
【０００２】
特許文献１に従来の水洗式便器が開示されている。この水洗式便器は、便鉢と、便鉢の下流側に連通し、便鉢とともに封水部を形成する便器排水路とを有する便器本体を備えている。また、水洗式便器は洗浄水供給装置を備えている。この洗浄水供給装置は、便鉢の上部開口の周縁に設けられたリムに洗浄水を供給した後、便鉢の下端に設けられ、便器排水路に向けて開口するジェット口に洗浄水を供給する。ジェット口から洗浄水が噴出すると、便器排水路内にサイホン作用が発生し、封水部の洗浄水は便器排水路の下流へ排出される。洗浄水供給装置によるジェット口への洗浄水の供給が終了すると、サイホン作用が終了する。その後に洗浄水供給装置によりリムへ供給される洗浄水の水量を少なくすることにより、便鉢内の洗浄水の水面を通常の待機時の水面よりも低くすることができる。
【０００３】
このような構成である従来の水洗式便器では、便鉢内の洗浄水の水面を通常の待機時の水面よりも低くして便鉢内面を掃除することができる。このため、通常の待機時の水面近傍の便鉢面をブラシ等で容易に掃除することができ、水垢を良好に取り除くことができる。また、ブラシ等で便鉢面を掃除する際に生じる水跳ねを少なくすることができる。
【０００４】
また、この水洗式便器は、大便及び男子小便を行う際に、便鉢内の洗浄水の水面を通常の待機時の水面よりも低くすることにより、便鉢内の洗浄水の跳ね返りを少なくすることができる。
【０００５】
【特許文献１】特開平１１−３５０５７８号公報
【発明の開示】
【発明が解決しようとする課題】
【０００６】
しかし、上記従来の水洗式便器では、便鉢内の洗浄水の水面を低下させるために、ジェット口から洗浄水を噴出させなければならず、節水性及び静音性に欠ける。
【０００７】
本発明は、上記従来の実情に鑑みてなされたものであって、便鉢内の洗浄水の水面を良好に低下させることができる水洗式便器を提供することを解決すべき課題としている。
【課題を解決するための手段】
【０００８】
本発明の水洗式便器は、便鉢と、該便鉢の下流側に連通し、該便鉢とともに封水部を形成する便器排水路と、該便器排水路の下流側に連通し、洗浄水が滞留する滞留部とを有する便器本体と、
該便鉢に洗浄水を供給する洗浄水供給装置と、
該便器排水路から空気を吸引し、かつ該便器排水路へ空気を排出する吸排気装置と、
該洗浄水供給装置及び該吸排気装置を制御する制御装置とを備えた水洗式便器において、
前記便器排水路には、前記封水部の洗浄水と前記滞留部の洗浄水とにより閉鎖空間が形成され、
前記制御装置は、前記吸排気装置が該便器排水路から該閉鎖空間の空気を吸引する時に、前記洗浄水供給装置が前記便鉢へ洗浄水を供給しない便鉢内水面低下モードを有していることを特徴とする。
【０００９】
この水洗式便器では、便鉢内水面低下モードが実行されると、洗浄水供給装置による便鉢への洗浄水の供給を行なわずに吸排気装置により便器排水路から閉鎖空間の空気が吸引され、その負圧力により封水部の洗浄水が滞留部側に流出する。これにより、便鉢内の洗浄水の水面を低下させることができる。このように、便鉢内の洗浄水の水面を低下させる際に、洗浄水供給装置により便鉢へ洗浄水を供給せず、また、吸排気装置は便器排水路から閉鎖空間の空気を吸引する音をほとんど発生させないため、この水洗式便器は節水性及び静音性に優れている。
【００１０】
したがって、本発明の水洗式便器は、便鉢内の洗浄水の水面を良好に低下させることができる。
【００１１】
滞留部は、便鉢内水面低下モードが実行された後も滞留する洗浄水により水封され得る。この場合、滞留部の下流側から上流側に臭気が逆流することが防止される。このため、便鉢内の洗浄水の水面を低下させて便鉢内面の掃除等を行う際に、封水部の洗浄水が滞留部側へ押し出され、封水部の水封が切れてしまっても、滞留部の下流側から水洗式便器が設置されたトイレ室内に臭気が逆流してしまうことを防止することができる。
【００１２】
便鉢内水面低下モードは、吸排気装置が便器排水路から閉鎖空間の空気を吸引した後に便器排水路へ空気を排出し得る。この場合、吸排気装置により便器排水路から空気が吸引され、封水部の洗浄水が滞留部側に流出した後に便器排水路の上流側に残存する洗浄水が便鉢側に押し戻される。このため、封水部の洗浄水は滞留部側へ押し出され難くなり、封水部の水封が切れにくくなる。このため、封水部の下流側からトイレ室内に臭気が逆流してしまうことを防止することができる。
【００１３】
制御装置は、便鉢内水面低下モードの実行により便鉢内の水面が低下した後、洗浄水供給装置により便鉢に洗浄水が供給され、便鉢内の水面が上昇位置まで上昇した後、吸排気装置を作動させて便器排水路から閉鎖空間の空気を吸引し、その後、洗浄水供給装置の便鉢への洗浄水の供給を停止し、吸排気装置が便器排水路へ空気を排出する便鉢内水面復帰モードを有し得る。この場合、便鉢内水面低下モードの実行後に、便鉢内の洗浄水の水面を通常の便器洗浄と同じ上昇位置まで上昇させて、サイホン作用を発生させ、通常の便器洗浄時と同様に便鉢を覆水する。このため、封水部や滞留部の洗浄水の量及び閉鎖空間の空気の量等を通常の待機時と同じ状態に確実に復帰させることができるため、その後の便器洗浄を良好に行うことができる。
【００１４】
便鉢内水面低下モードは、吸排気装置が便器排水路から閉鎖空間の空気を吸引する前に洗浄水供給装置を作動させ、便鉢に設定量の洗浄水を供給し得る。この場合、滞留部の洗浄水が何らかの理由により減少したり、水封が切れていたりしても、便鉢内水面低下モードの実行初期に滞留部に洗浄水が供給されることにより、滞留部が確実に水封される。このため、閉鎖空間を確実に形成することができる。よって、吸排気装置が便器排水路から空気を吸引すると負圧力が生じ、便鉢内の洗浄水の水面を確実に低下させることができる。また、滞留部が待機時に空気を流通可能に形成されていても、便鉢内水面低下モードの実行初期に滞留部に洗浄水が供給されることにより、滞留部を水封することができる。これにより、閉鎖空間を形成することができる。このため、吸排気装置が便器排水路から閉鎖空間の空気を吸引すると負圧力が生じ、便鉢内の洗浄水の水面を確実に低下させることができる。
【発明を実施するための最良の形態】
【００１５】
以下、本発明の水洗式便器を具体化した実施例１及び２を図面を参照しつつ説明する。
【実施例１】
【００１６】
実施例１の水洗式便器は、図１に示すように、便器本体１と、洗浄水供給装置１０と、吸排気装置２０と、制御装置３０とを備えている。
【００１７】
便器本体１は、便鉢２と、便器排水路５と、滞留部Ｒとを有している。便鉢２の上部周縁には、リム３が設けられている。便鉢２の下端には、水平面上で開口する流出口４が設けられている。流出口４には、便器排水路５が連通している。便器排水路５は、上昇流路６と下降流路７とから構成されている。上昇流路６と便鉢２とにより、洗浄水が滞留する封水部Ｈが形成されている。
【００１８】
下降流路７は、上昇流路６の上昇端に設けられた開口に連通する便器排水管４０により形成されている。便器排水管４０の下流端の開口は、排水接続具５０を介して図示しない床面に引き出された排水管の接続口に連通される。便器排水管４０は、上面に吸排気装置２０を接続する連通管４１が設けられている。
【００１９】
排水接続具５０は、筐体５１と、筐体５１内に配置される内部配管５２とを有している。筐体５１は、上面に設けられ、便器排水管４０の下流端部とパッキンＰを介して接続される流入口５１Ｕと、下面に設けられ、排水管に接続される流出口５１Ｄとを有している。内部配管５２は、流入口５１Ｕに連続する下降流路５２Ａと、下降流路５２Ａの下流端に連続し、筐体５１内に開口する下流口５２Ｃを有する上昇流路５２Ｂとから構成されている。内部配管５２は、下降流路５２Ａと上昇流路５２Ｂとから形成され、洗浄水が滞留する滞留部Ｒを有している。滞留部Ｒは、滞留する洗浄水により完全に水封される。これにより、便器本体１に形成される封水部Ｈの下流側と、滞留部Ｒの上流側との間の便器排水路５及び内部配管５２には、閉鎖空間が形成される。また、滞留部Ｒの下流側から上流側に臭気が逆流することが防止される。このため、便鉢２の内面を掃除する際等に封水部Ｈの水封が切れたとしても、滞留部Ｒの下流側から水洗式便器が設置されたトイレ室内に臭気が逆流してしまうことを防止することができる。
【００２０】
洗浄水供給装置１０は、図示しない水道管に連通されている。また、洗浄水供給装置１０には、図示しないストレーナ装置、定流量弁、開閉弁及びバキュームブレーカが上流側から順に配置されている。洗浄水供給装置１０の下流側には、ノズル１１が接続されている。このノズル１１の下流端は、リム３に連通している。ノズル１１の先端から吐水される洗浄水は、リム３を旋回しながら便鉢２内へ流出し、便鉢２内に旋回流を発生させる。開閉弁は、開弁及び閉弁される際、徐々に吐水流量が増加及び減少するようなものを採用し、急激な弁の開閉によりウォーターハンマー現象が生じないようにされている。
【００２１】
吸排気装置２０は、吸排気タンク２１と、駆動装置２２とを有している。吸排気タンク２１は、鍋形状のハウジング２１Ｈ内に上下方向に移動可能な隔膜２１Ｄが設けられている。ハウジング２１Ｈの下面には、吸排気管２１Ｐが設けられている。吸排気管２１Ｐは、便器排水管４０の連通管４１に挿入され接続されている。駆動装置２２は、上下方向に長い筒形状のケース本体２２Ｈと、ケース本体２２Ｈ内に上下方向に移動可能な隔膜２２Ｄと、隔膜２２Ｄを下方から押上可能な円盤形状の押上板２２Ａを有する棒状体２２Ｂと、押上板２２Ａを上下動させるモーター２２Ｍとを有している。吸排気タンク２１の隔膜２１Ｄによって区画された上側の上部空間２４と、駆動装置２２の隔膜２２Ｄによって区画された下側の下部空間２５とは、接続管２３によって接続されている。
【００２２】
吸排気装置２０では、モーター２２Ｍが回転し、棒状体２２Ｂが上方に延びることにより、押上板２２Ａが上方に押し上げられ、駆動装置２２の隔膜２２Ｄが上昇位置に移動する。これにより、吸排気タンク２１の上部空間２４の空気が駆動装置の下部空間２５に吸引され、吸排気タンク２１の隔膜２１Ｄは上昇位置に移動する。このようにして、吸排気タンク２１が便器排水路５から閉鎖空間の空気を吸引する。また、モーター２２Ｍが回転し、棒状体２２Ｂが下方に縮むことにより、押上板２２Ａが下降し、駆動装置２２の隔膜２２Ｄが下降位置に移動する。これにより、駆動装置２２の下部空間２５の空気が吸排気タンク２１の上部空間２４に押し込まれ、吸排気タンク２１の隔膜２１Ｄは下降位置に移動する。このようにして、吸排気タンク２１が便器排水路５へ空気を排出する。また、駆動装置２２の隔膜２２Ｄが下降しない限り、吸排気タンク２１の隔膜２１Ｄは上昇位置に維持される。
【００２３】
制御装置３０は、図示しないリモコンからの信号により洗浄水供給装置１０と吸排気装置２０とを制御する。つまり、制御装置３０は、洗浄水供給装置１０を構成する開閉弁の開閉と、吸排気装置２０の駆動装置２２に組み込まれたモーター２２Ｍの回転とを制御することができる。また、制御装置３０は記憶装置を有し、洗浄水供給装置１０及び吸排気装置２０の複数の制御モードを記憶し、実行させることができる。
【００２４】
以上の構成を有する本発明の水洗式便器において、便鉢２内の水面を低下させる便鉢内水面低下モードの実行及び便鉢２内の水面を通常の待機時の水面に復帰させる便鉢内水面復帰モードの実行について説明する。
【００２５】
［待機時（図１）］
図１に示すように、便器本体１の封水部Ｈには、洗浄水が上昇流路６の上昇端の開口下部６Ａの高さまで滞留している。このため、便鉢２内の水面Ｌは、上昇流路６の上昇端の開口下部６Ａの高さの待機位置に位置している。また、排水接続具５０の内部配管５２の滞留部Ｒは、滞留する洗浄水により完全に水封されている。このため、封水部Ｈの下流側と、滞留部Ｒの上流側との間の便器排水路５及び内部配管５２には、閉鎖空間が形成されている。また、封水部Ｈ及び滞留部Ｒにより、滞留部Ｒより下流側の臭気が水洗式便器を設置したトイレ室内に逆流してしまうことを防止している。吸排気タンク２１の隔膜２１Ｄ及び駆動装置２２の隔膜２２Ｄは、下降位置に配置されている。
【００２６】
［排水工程（図２）］
図示しないリモコンに設けられた便鉢内水面低下ボタンが操作されると、制御装置３０は、便鉢内水面低下モードを実行する。便鉢内水面低下モードが実行されると、図９のＡ時点からＢ時点の間に、図２に示すように、駆動装置２２のモーター２２Ｍが回転し、押上板２２Ａを上方に押し上げ、隔膜２２Ｄを上昇位置に移動させる。これにより、吸排気タンク２１の隔膜２１Ｄも上昇位置に移動し、便器排水路５から閉鎖空間の空気を吸引する。この際に生じる負圧力によって封水部Ｈの洗浄水が滞留部Ｒ側に流出する。このため、便鉢２内の洗浄水の水面Ｌは、流出口４に向けて下降する。
【００２７】
吸排気タンク２１の隔膜２１Ｄが上昇位置に移動した後も、図９のＢ時点からＣ時点の間において、封水部Ｈの洗浄水は滞留部Ｒ側に流出する。この際、便鉢２内の洗浄水の水面Ｌが低くなるにつれて、封水部Ｈの上流側より下流側の水位が徐々に高くなるため、封水部Ｈの洗浄水には上昇流路６内から便鉢２方向に戻ろうとする作用が徐々に強くなる。このため、封水部Ｈから滞留部Ｒ側に流出する洗浄水の流量は徐々に少なくなる。一方、滞留部Ｒに流入する洗浄水の流量が少なくなるにつれて、待機時よりも上昇した滞留部Ｒの上流側の水位は、徐々に低下する。これにより、滞留部Ｒの上流側と下流側との水位差が徐々に小さくなるため、滞留部Ｒの洗浄水には上流から下流側に流れようとする作用が徐々に弱くなる。これため、滞留部Ｒに封水部Ｈ内の洗浄水を引き込む力も弱くなるため、さらに封水部Ｈの洗浄水が滞留部Ｒ側に流出する洗浄水量は少なくなる。
【００２８】
［安定工程（図３）］
図９のＣ時点において、図３に示すように、封水部Ｈの上流側と下流側の水位差により生じる上昇流路６内の洗浄水が便鉢２方向に戻ろうとする作用と、滞留部Ｒの上流側と下流側の水位差により生じる滞留部Ｒ内の洗浄水が下流側に流出しようとする作用とが均衡した状態になると、封水部Ｈ内の洗浄水は、滞留部Ｒ側に流出しなくなり、便鉢２内の水面は、流出口４よりも低い位置で停止する。滞留部Ｒは、排水接続具５０の流出口５１Ｄに連通する排水管内の圧力変動の影響を受ける。滞留部Ｒが下流側の圧力変動の影響を受けると封水部Ｈとの均衡が崩れるおそれがあるため、図９のＣ時点からＤ時点まで、吸排気タンク２１の隔膜２１Ｄを上昇位置に維持し、封水部Ｈ内の洗浄水を安定させる。
【００２９】
［低下水面形成工程（図４）］
図９のＤ時点からＥ時点の間に、図４に示すように、駆動装置２２のモーター２２Ｍが回転し、押上板２２Ａを下方に下降させ、隔膜２２Ｄを下降位置に移動させる。この際、隔膜２２Ｄを上昇位置から下降位置に移動させるのに要する時間は、便鉢内水面低下モードの実行初期に隔膜２２Ｄを下降位置から上昇位置に移動させるよりも長く設定されている。これにより、吸排気タンク２１の隔膜２１Ｄも下降位置に移動し、便器排水路５へ空気を排出する。すると、上昇流路６内の洗浄水は便鉢２側に押し戻され、便鉢２内の水面Ｌは流出口４より僅か高くなる。また、上昇流路６内の洗浄水の水位は、上昇流路６の上昇端の開口下部６Ａよりも低くなる。このため、封水部Ｈの洗浄水は、滞留部Ｒ側に押し出され難くなるため封水部Ｈの水封が切れ難くなる。よって、便鉢２の内面を掃除する際等に、封水部Ｈの下流側から水洗式便器が設置されたトイレ室内に臭気が逆流してしまうおそれを少なくすることができる。一方、滞留部Ｒの上流側の水位は低下し、待機状態と同じ水位にもどる。
【００３０】
このように、実施例１の水洗式便器では、便鉢内水面低下モードが実行されると、洗浄水供給装置１０による便鉢２への洗浄水の供給が行われずに吸排気装置２０により便器排水路５から閉鎖空間の空気が吸引され、その負圧力により封水部Ｈの洗浄水が滞留部Ｒ側に流出する。これにより、便鉢２内の洗浄水の水面を低下させることができる。この際、洗浄水供給装置１０により便鉢２へ洗浄水を供給せず、また、吸排気装置２０は便器排水路５から閉鎖空間の空気を吸引する音をほとんど発生させないため、この水洗式便器は節水性及び静音性に優れている。
【００３１】
したがって、実施例１の水洗式便器は、便鉢２内の洗浄水の水面を良好に低下させることができる。
【００３２】
便鉢内水面低下モードの実行により、便鉢２内の洗浄水の水面が低下した後、リモコンに設けられた洗浄ボタンが操作されると、制御装置３０は、便鉢２内の水面を待機時と同じにする便鉢内水面復帰モードを実行し、その後の便器洗浄を良好に行えるようにする。
【００３３】
［便鉢内洗浄水増加工程（図５）］
便鉢内水面復帰モードは、図１０のＶ時点からＷ時点の間において、洗浄水供給装置１０の開閉弁を開弁し、ノズル１１からリム３を介して便鉢２内に洗浄水を供給する。便鉢２への洗浄水の供給流量は、洗浄水供給装置１０の開閉弁が開弁した数秒後には一定流量となる。この一定流量は、後述するサイホン作用が発生した後、便鉢２内の水面Ｌが流出口４の近傍まで下降した際に便器排水路５を経由して排水接続具５０から排水される洗浄水の排水流量と略等しい流量に設定されている。洗浄水供給装置１０から便鉢２に洗浄水が供給されると、図５に示すように、便鉢２内の洗浄水の水面Ｌは上昇位置まで徐々に上昇する。この上昇位置は、上昇流路６の上昇端の開口下部６Ａを越えているため、封水部Ｈから洗浄水が滞留部Ｒに溢出している。このため、滞留部Ｒの上流側の水位が上昇し、滞留部Ｒは確実に水封される。この工程では、吸排気タンク２１の隔膜２１Ｄ及び駆動装置２２の隔膜２２Ｄは、下降位置に配置されている。
【００３４】
［サイホン発生工程（図６）］
図１０のＷ時点において、便鉢２内の洗浄水の水面Ｌが上昇位置まで上昇し、図６に示すように、駆動装置２２のモーター２２Ｍが回転し、押上板２２Ａを上方に押し上げ、隔膜２２Ｄを上昇位置に移動させる。これにより、吸排気タンク２１の隔膜２１Ｄも上昇位置に移動し、便器排水路５から閉鎖空間の空気を吸引する。この際に生じる負圧力と、便鉢２内の洗浄水の位置エネルギーとの相乗効果により、便鉢２内の洗浄水が旋回しながら勢いよく便器排水路５内に流入し、強力なサイホン作用が発生する。図１０に示すように、便鉢２内の洗浄水の水面は、Ｗ時点からＸ時点の間に、急激に流出口４の近傍まで下降する。
【００３５】
サイホン作用は、便鉢２内の洗浄水の位置エネルギーも利用するため、サイホン作用が発生した時点が最も強力であり、便鉢２内の洗浄水の水面Ｌが下降するに従い弱くなる。このため、便器排水路５を経由して排水接続具５０から排水される洗浄水も、水面Ｌが下降するに従い減少する。上述したように、洗浄水供給装置１０から便鉢２へ供給される洗浄水の流量は、便鉢２内の洗浄水の水面Ｌが流入口４の近傍まで下降した際の排水流量と略等しい流量に設定されているため、Ｘ時点で、便鉢２に対する洗浄水の供給流量と排出流量とは均衡する。
【００３６】
［サイホン維持工程（図７）］
図１０のＸ時点からＹ時点において、吸排気タンク２１の隔膜２１Ｄは上昇位置に維持される。また、洗浄水供給装置１０から便鉢２へ供給される洗浄水は、Ｘ時点から設定時間、一定流量に維持される。これにより、図７に示すように、封水部Ｈでは、便鉢２内の洗浄水の水面Ｌの水位Ａと便器排水路５の下流端近傍の水位Ｂとの水位差が維持される。また、溜水部Ｒでは、便器排水路５の下流端近傍の水位Ｂと内部配管５２の下流口５２Ｃにおける水位Ｃとの水位差が維持される。このため、便鉢２内の洗浄水の水面Ｌが流入口４の近傍に維持されながら、サイホン作用が維持される。Ｘ時点から設定時間経過後に、洗浄水供給装置１０の開閉弁が閉弁され、便鉢２に供給される洗浄水の流量は、徐々に減少する。
【００３７】
［覆水工程（図８）］
図１０のＹ時点からＺ時点において、駆動装置２２のモーター２２Ｍが回転し、押上板２２Ａを下方に下降させ、隔膜２２Ｄを下降位置に移動させる。隔膜２２Ｄを上昇位置から下降位置に移動させるのに要する時間は、サイホン発生工程において隔膜２２Ｄを下降位置から上昇位置に移動させるよりも長く設定されている。これにより、吸排気タンク２１の隔膜２１Ｄも下降位置に移動し、便器排水路５へ空気を排出する。Ｙ時点で便器排水路５へ空気が排出され始めると、その影響により直ちにサイホン作用は終了する。この際、流出口４から空気が便器排水路５内へ入らないため、サイホン作用の終了の際に破封音は生じない。その後、洗浄水供給装置１０から供給される洗浄水により、便鉢２内の洗浄水の水面Ｌが待機位置に復帰し、覆水が完了する。
【００３８】
このように、実施例１の水洗式便器では、制御装置３０により便鉢内水面復帰モードが実行されると、通常の便器洗浄と同じように便鉢２内の洗浄水の水面を上昇位置まで上昇させてサイホン作用を発生させ、その後、便鉢２は覆水される。このため、封水部Ｈや滞留部Ｒの洗浄水の量及び閉鎖空間の空気の量等を通常の待機時と同じ状態に復帰させることができるため、その後の便器洗浄を良好に行うことができる。
【実施例２】
【００３９】
実施例２の水洗式便器は、実施例１と同様の構成を有し、便鉢内水面低下モードにおける洗浄水供給装置１０の作動が実施例１の水洗式便器とは相違するのみである。また、便鉢内水面復帰モードは実施例１の水洗式便器と同様である。実施例２の水洗式便器において、便鉢内水面低下モードの洗浄水供給装置１０の作動について相違する点を説明する。
【００４０】
実施例２の水洗式便器では、図９に示される排水工程前に洗浄水供給装置１０が便鉢２に設定量の洗浄水を供給する。排水工程以後は、実施例１の水洗式便器と同様に洗浄水供給装置１０は便鉢２に洗浄水を供給しない。このようにすると、排水工程の前に封水部Ｈから洗浄水が滞留部Ｒに流出する。このため、滞留部Ｒの洗浄水が何らかの理由により減少していたり、水封が切れていたりしていても、滞留部Ｒは確実に水封される。よって、閉鎖空間が確実に形成され、吸排気装置２０が便器排水路５から閉鎖空間の空気を吸引すると負圧力が生じ、便鉢２内の洗浄水の水面を確実に低下させることができる。排水工程の前に洗浄水供給装置１０が便鉢２に供給する洗浄水の量は、滞留部Ｒの洗浄水を水封する程度の少量で良く、その際の洗浄水の流水音はほとんど発生しないため、節水性及び静音性に優れている。
【００４１】
したがって、実施例２の水洗式便器も、便鉢２内の洗浄水の水面を良好に低下させることができる。
【００４２】
以上において、本発明を実施例１及び２に即して説明したが、本発明は上記実施例１及び２に制限されるものではなく、その趣旨を逸脱しない範囲で適宜変更して適用できることはいうまでもない。
【００４３】
例えば、便器本体１は、便鉢２、便器排水路５及び滞留部Ｒが一体に形成されたものでも良い。
また、吸排気装置２０は、吸引タンク２１の隔膜２１Ｄを電気駆動により上下動させて、便器排水路５から空気を吸引し、かつ便器排水路５へ空気を排出してもよい。
また、滞留部の洗浄水の上方に、洗浄水の供給により水封可能な隙間が形成され、空気が流通するようにされていてもよい。
また、便鉢内水面低下モードにおいて、吸引タンク２１の隔膜２１Ｄの上昇高さを変更することができるようにしてもよい。この場合、便鉢２内の洗浄水の水面Ｌが低下する幅を変更することができる。
【図面の簡単な説明】
【００４４】
【図１】実施例１及び２の水洗式便器の待機時を示す模式図である。
【図２】実施例１及び２の便鉢内水面低下モードにおける排水工程を示す模式図である。
【図３】実施例１及び２の便鉢内水面低下モードにおける安定工程を示す模式図である。
【図４】実施例１及び２の便鉢内水面低下モードにおける低下水面形成工程示す模式図である。
【図５】実施例１及び２の便鉢内水面復帰モードにおける便鉢内洗浄水増加工程を示す模式図である。
【図６】実施例１及び２の便鉢内水面復帰モードにおけるサイホン発生工程を示す模式図である。
【図７】実施例１及び２の便鉢内水面復帰モードにおけるサイホン維持工程を示す模式図である。
【図８】実施例１及び２の便鉢内水面復帰モードにおける覆水工程を示す模式図である。
【図９】実施例１の便鉢内水面低下モードを示すタイミングチャートであるである。
【図１０】実施例１及び２の便鉢内水面復帰モードを示すタイミングチャートである。
【符号の説明】
【００４５】
１…便器本体
２…便鉢
５…便器排水路
１０…洗浄水供給装置
２０…吸排気装置
３０…制御装置
Ｈ…封水部
Ｒ…滞留部
【図１】
0005117261.tif 000002
【図２】
0005117261.tif 000003
【図３】
0005117261.tif 000004
【図４】
0005117261.tif 000005
【図５】
0005117261.tif 000006
【図６】
0005117261.tif 000007
【図７】
0005117261.tif 000008
【図８】
0005117261.tif 000009
【図９】
0005117261.tif 000010
【図１０】
0005117261.tif 000011